(57)【要約】      （修正有）【課題】生ごみの処理過程で発生する水蒸気の凝縮のための凝縮システムが容易に破損されず悪臭の流出を遮断できる生ごみ処理装置を提供する。【解決手段】半円形の撹拌槽と、その内部に設置されて回転駆動される撹拌器と、撹拌槽の内部空間を加熱する加熱手段と、撹拌槽から発生する水蒸気を凝縮させる水蒸気凝縮システム１４０とを含む。システムは、撹拌槽の上部に設置されて撹拌槽と連通する水蒸気流入口・出口及び外部に連通する凝縮水排出口が形成され、水蒸気流入口・出口間に隔壁が設置されることで排出口を経由する迷路が形成され、迷路上には凝縮管が設置され、凝縮管を通じて冷却水が流れる水蒸気凝縮槽１４１と、冷却水を冷却させる放熱器と、放熱器によって冷却された冷却水を貯蔵する冷却水貯蔵タンク１４８と、タンクに貯蔵された冷却水を凝縮管に流出させて冷却水を循環させる循環ポンプ１４９とを含む。【選択図】図６
0003167769.tif 000002
【実用新案登録請求の範囲】
【請求項１】
半円形の撹拌槽と、前記撹拌槽の内部に設置されて回転駆動される撹拌器と、前記撹拌槽の内部空間を加熱するための加熱手段と、前記撹拌槽から発生する水蒸気を凝縮させるための水蒸気凝縮システムとを含む生ごみ処理装置において、
前記水蒸気凝縮システムは、
前記撹拌槽の上部に設置されて前記撹拌槽と連通する水蒸気流入口と水蒸気流出口及び外部に連通する凝縮水排出口が形成され、前記水蒸気流入口と水蒸気流出口の間には多数の隔壁が設置されることにより前記凝縮水排出口を経由する迷路が形成され、前記迷路上には凝縮管が設置され、前記凝縮管を通じて冷却水が流れる水蒸気凝縮槽と；
前記水蒸気凝縮槽の凝縮管から冷却水を受けて冷却させるための放熱器と；
前記放熱器によって冷却された冷却水を受けて貯蔵する冷却水貯蔵タンクと；
前記冷却水貯蔵タンクに貯蔵された冷却水を受けて前記水蒸気凝縮槽の凝縮管に流出させることで前記冷却水を循環させる循環ポンプとを含むことを特徴とする、生ごみ処理装置。
【請求項２】
前記加熱手段は、前記撹拌槽の円周方向に沿って多数箇所に、前記撹拌槽の軸方向に伸びるように付着設置される多数の電熱ヒーター棒を含み、
前記生ごみ処理装置は、前記多数の電熱ヒーター棒への電力供給を制御することで前記撹拌槽の内部温度を一定に維持するための制御盤をさらに含むことを特徴とする、請求項１に記載の生ごみ処理装置。
【請求項３】
前記制御盤は、前記多数の電熱ヒーター棒を制御することで前記撹拌槽の内部温度を８０℃に維持することを特徴とする、請求項２に記載の生ごみ処理装置。
【考案の詳細な説明】
【技術分野】
【０００１】
本考案は生ごみ処理装置に係り、より詳しくは生ごみを化学的処理によって分解して水と堆肥に作る生ごみ処理装置に関する。
【背景技術】
【０００２】
従来の生ごみ処理装置は特許文献１の“生ごみ処理装置”などに開示されたものがあり、このような従来の生ごみ処理装置によれば、分解処理される生ごみから発生する悪臭が外部に流出される問題があった。
【０００３】
また、特に、このような種類の生ごみ処理装置は、生ごみが撹拌される撹拌槽の内部温度が８０℃の比較的高温で維持される。従来技術によれば、前記撹拌槽から発生する高温の水蒸気を凝縮させて水として排出するのに適用される凝縮システムがフレオンなどの冷媒ガスを利用したものが主流をなした。
【０００４】
しかし、８０℃前後の水蒸気を水に凝縮する過程で前記凝縮システムに過負荷が加わることによって、前記冷媒ガスの凝縮のためのコンプレッサーが過熱で破損される問題がよく発生した。
【先行技術文献】
【特許文献】
【０００５】
【特許文献１】大韓民国特許出願公開第２００７−９８２７４号明細書
【考案の概要】
【考案が解決しようとする課題】
【０００６】
したがって、本考案の目的は生ごみの処理過程で発生する水蒸気の凝縮のための凝縮システムが容易に破損されないとともに悪臭の流出を遮断することができる生ごみ処理装置を提供することにある。
【課題を解決するための手段】
【０００７】
前記目的を達成するために、本考案は、半円形の撹拌槽と、前記撹拌槽の内部に設置されて回転駆動される撹拌器と、前記撹拌槽の内部空間を加熱するための加熱手段と、前記撹拌槽から発生する水蒸気を凝縮させるための水蒸気凝縮システムとを含む生ごみ処理装置であって、前記水蒸気凝縮システムは、前記撹拌槽の上部に設置されて前記撹拌槽と連通する水蒸気流入口と水蒸気流出口及び外部に連通する凝縮水排出口が形成され、前記水蒸気流入口と水蒸気流出口の間には多数の隔壁が設置されることにより前記凝縮水排出口を経由する迷路が形成され、前記迷路上には凝縮管が設置され、前記凝縮管を通じて冷却水が流れる水蒸気凝縮槽と；前記水蒸気凝縮槽の凝縮管から冷却水を受けて冷却させるための放熱器と；前記放熱器によって冷却された冷却水を受けて貯蔵する冷却水貯蔵タンクと；前記冷却水貯蔵タンクに貯蔵された冷却水を受けて前記水蒸気凝縮槽の凝縮管に流出させることで前記冷却水を循環させる循環ポンプとを含む生ごみ処理装置を提供する。
【０００８】
ここで、前記加熱手段は、前記撹拌槽の円周方向に沿って多数箇所に、前記撹拌槽の軸方向に伸びるように付着設置される多数の電熱ヒーター棒を含み、前記生ごみ処理装置は、前記多数の電熱ヒーター棒への電力供給を制御することで前記撹拌槽の内部温度を一定に維持するための制御盤をさらに含むこともできる。
【０００９】
この際、前記制御盤は、前記多数の電熱ヒーター棒を制御することで前記撹拌槽の内部温度を８０℃に維持することもできる。
【考案の効果】
【００１０】
以上の本考案による生ごみ処理装置によれば、水蒸気凝縮システムの循環冷媒として冷却水、つまり水を用いることにより、循環する温度がフレオンなどの冷媒ガスの温度に比べて多少高くなっても、分解される生ごみから発生する水蒸気を凝縮するのに大きな性能低下なしに適用することができ、何よりも冷媒の循環のために、従来のコンプレッサーの代わりにポンプを適用することによって破損が発生しないという利点がある。
【００１１】
また、生ごみが分解される撹拌槽の内部温度は多数の電熱ヒーター棒を含む加熱手段によって一定に維持され、分解される生ごみから発生する水蒸気は前記撹拌槽と水蒸気凝縮システムの水蒸気凝縮槽の間で循環する過程で水に凝縮されて外部に排出されるので、前記水蒸気の外部流出による悪臭発生を遮断することができる。
【図面の簡単な説明】
【００１２】
【図１】本考案の実施例による生ごみ処理装置の写真である。
【図２】図１の生ごみ処理装置の撹拌槽の内部写真である。
【図３】図１の生ごみ処理装置の撹拌槽の写真である。
【図４】図３の撹拌槽の一側面写真である。
【図５】本考案の実施例による生ごみ処理装置に適用される水蒸気凝縮システムの水蒸気凝縮槽の写真である。
【図６】図１の生ごみ処理装置の背面の内部写真である。
【考案を実施するための形態】
【００１３】
以下、添付図面に基づいて本考案を詳細に説明する。
【００１４】
本考案の実施例による生ごみ処理装置１００は図１に示すような外観を持つ。
【００１５】
ドア１０１を開放した内部には、図２に示すように、半円形の撹拌槽１１０とその内部に設置されて回転駆動される撹拌器１２０が位置する。
【００１６】
撹拌槽１１０には生ごみが投入され、これと共に前記生ごみの分解のための添加剤（堆肥）が投入される。
【００１７】
前記添加剤については前記特許文献１の“生ごみ処理装置”などに開示されているので、ここでは具体的な説明を省略する。
【００１８】
図３は撹拌槽１１０の外形を示すもので、図１の生ごみ処理装置１００の外観をなすケーシング１０２を除去した状態を示す。
【００１９】
半円形の撹拌槽１１０は、その右側面に、撹拌槽１１０の内部空間を加熱するための加熱手段として多数の電熱ヒーター棒１３１が設置される。
【００２０】
図４は図３の撹拌槽１１０の右側面を示す写真で、多数の電熱ヒーター棒１３１は半円形撹拌槽１１０の円周方向に沿って多数箇所（本実施例では６箇所）に配置される。
【００２１】
それぞれの電熱ヒーター棒１３１は撹拌槽１１０の軸方向に伸びるように設置され、保護カバー１３２（図２）で覆われた状態で撹拌槽１１０の内側面上に配置される。
【００２２】
電熱ヒーター棒１３１は電源コード１３３を通じて電力を受けて撹拌槽１１０の内部を加熱し、その制御のために別途の制御盤１５０（図６）が備えられ、前記制御盤１５０は多数の電熱ヒーター棒１３１への電源供給を制御することで、撹拌槽１１０の内部温度を８０℃に一定に維持するようにする。
【００２３】
ここで、８０℃の内部温度は生ごみの化学処理に最適の温度にあたる。
【００２４】
一方、本考案の実施例による生ごみ処理装置１００は、図５に示す水蒸気凝縮槽１４１を備える水蒸気凝縮システム１４０（図６）を含む。
【００２５】
水蒸気凝縮槽１４１は図１の上側ケーシング１０３の内部に設置され、図２の撹拌槽１１０の内部と連通する。
【００２６】
すなわち、水蒸気凝縮槽１４１は撹拌槽１１０の上部に設置され、右側の水蒸気流入口１４２と左側の水蒸気流出口１４３を通じて前記撹拌槽１１０と連通する。
【００２７】
撹拌槽１１０で化学処理される生ごみから発生する水蒸気は前記水蒸気流入口１４２を通じて水蒸気凝縮槽１４１に流入され、多数の隔壁１４４が設置されることによって形成される迷路に沿って水蒸気流出口１４３を通じて再び撹拌槽１１０に流入される。
【００２８】
この過程で、水蒸気は、前記隔壁１４４によって形成された迷路上に設置される凝縮管１４５と接触するとき、水に凝縮して前記凝縮管１４５の表面に結露し、これが水蒸気凝縮槽１４１の底面に沿って流れて左上端の凝縮水排出口１４６を通じて装置１００の外部に排出されて収集される。
【００２９】
凝縮管１４５の内部には冷却水、つまり水が流れることになる。
【００３０】
前記冷却水は図６に示すような水蒸気凝縮システム１４０の各構成の間を通して循環することになる。
【００３１】
図６は本考案の実施例による生ごみ処理装置１００の背面の内部を示す写真で、水蒸気凝縮システム１４０を構成する放熱器１４７、冷却水貯蔵タンク１４８及び循環ポンプ１４９などが示されている。
【００３２】
図６において、上端の水蒸気凝縮槽１４１の内部に設置された凝縮管１４５を通過した冷却水は放熱器１４７を通しながら冷却される。
【００３３】
放熱器１４７は冷却水の放熱のための通常の放熱手段で、多数で積層された屈曲管、放熱ピン、及び放熱ファンなどで構成される。
【００３４】
放熱器１４７を通しながら冷却された冷却水は上部の冷却水貯蔵タンク１４８に貯蔵され、この冷却水貯蔵タンク１４８に貯蔵されている冷却水は循環ポンプ１４９の駆動によって前記循環ポンプ１４９に流入してから流出されて上端の水蒸気凝縮槽１４１に向かうことになる。
【００３５】
図６において、未説明符号１５０は制御盤、１６０は撹拌器１２０（図２）の回転駆動のための駆動モーターである。
【００３６】
一方、以上説明して生ごみ処理装置１００は本考案の理解に役立つための一実施例に過ぎないものなので、本考案の権利範囲ないし技術的範囲が前述したものに限定されるものとして理解されてはいけない。
【００３７】
本考案の権利範囲ないし技術的範囲は後述する実用新案登録請求の範囲によって決まる。
【産業上の利用可能性】
【００３８】
本発明は、生ごみを化学的処理によって分解して水と堆肥に作る生ごみ処理装置に適用可能である。
【符号の説明】
【００３９】
１００    生ごみ処理装置
１０１    ドア
１０２、１０３    ケーシング
１１０    撹拌槽
１２０    撹拌器
１３１    電熱ヒーター棒
１３２    保護カバー
１３３    電源コード
１４０    水蒸気凝縮システム
１４１    水蒸気凝縮槽
１４２    水蒸気流入口
１４３    水蒸気流出口
１４４    隔壁
１４５    凝縮管
１４６    凝縮水排出口
１４７    放熱器
１４８    冷却水貯蔵タンク
１４９    循環ポンプ
１５０    制御盤
１６０    駆動モーター
【図１】
0003167769.tif 000003
【図２】
0003167769.tif 000004
【図３】
0003167769.tif 000005
【図４】
0003167769.tif 000006
【図５】
0003167769.tif 000007
【図６】
0003167769.tif 000008
【手続補正書】
【提出日】平成23年3月25日(2011.3.25)
【手続補正１】
【補正対象書類名】図面
【補正対象項目名】図１
【補正方法】変更
【補正の内容】
【図１】
0003167769.tif 000009